(57)【要約】      （修正有）【課題】複数の缶からなる展示物や模型等を容易に組み立て可能にし、展示物を商品の売場等に展示や陳列等して集客効果を高めることや、模型を個人的に組み立てて遊ぶこと等ができる缶連結具を提供する。【解決手段】上側のパーツの下面にある第２の突起部１５を、パーツの上端にある第１の挿入部２４に挿入してパーツ同士を結合すると共に、このパーツの下面にある２つの係合部１４を、パーツを挟んで配置された２つの飲料用缶における上面周縁の一部にそれぞれ係合させる。同様に、下側のパーツの上面にある第１の突起部１３をパーツの下端にある第２の挿入部２５に挿入してパーツ同士を結合すると共に、このパーツの上面にある２つの係合部１２を、パーツを挟んで配置された２つの飲料用缶における下面周縁の一部にそれぞれ係合させる。これにより、飲料用缶が２列に横連結される。【選択図】図９
0003149035.tif 000002
【実用新案登録請求の範囲】
【請求項１】
缶の円筒面に対して軸方向に沿って配置される第１部品と、
上側に配置される第１部品の下端と結合するための上側結合部と、下側に配置される第１部品の上端と結合するための下側結合部とを有すると共に、上側に第１部品を挟んで配置される２つの缶における下面周縁の一部に係合する２つの上側係合部と、下側に第１部品を挟んで配置される２つの缶における上面周縁の一部に係合する２つの下側係合部とを有する第２部品と、を備えた、
ことを特徴とする缶連結具。
【請求項２】
請求項１に記載の缶連結具において、
缶の上面側又は下面側に配置される部品であり、当該缶に係合される複数の第２部品の各々と結合するための複数の結合部を部品中心部から等距離の位置に有する第３部品を備えた、
ことを特徴とする缶連結具。
【請求項３】
請求項２に記載の缶連結具において、
前記第３部品は、前記第２部品と結合するための複数の結合部を、隣接する結合部間が等間隔となる位置に有する、
ことを特徴とする缶連結具。
【請求項４】
請求項１乃至請求項３のいずれか１項に記載の缶連結具において、
複数の第２部品の各々と結合するための複数の結合部を、それぞれの第２部品に係合される缶における軸の方向がそれぞれ異なる方向となる角度で有する第４部品を備えた、
ことを特徴とする缶連結具。
【請求項５】
請求項４に記載の缶連結具において、
前記第４部品は、多角形の面を有する部品であり、前記第２部品と結合するための複数の結合部を、前記多角形の辺部分に有する、
ことを特徴とする缶連結具。
【請求項６】
請求項１乃至請求項５のいずれか１項に記載の缶連結具における第１部品。
【請求項７】
請求項１乃至請求項５のいずれか１項に記載の缶連結具における第２部品。
【請求項８】
請求項２又は請求項３に記載の缶連結具における第３部品。
【請求項９】
請求項４又は請求項５に記載の缶連結具における第４部品。
【請求項１０】
請求項１乃至請求項５のいずれか１項に記載の缶連結具において、
前記缶は、円筒状の飲料用缶である、
ことを特徴とする缶連結具。
【考案の詳細な説明】
【技術分野】
【０００１】
本考案は、複数の缶を連結するための缶連結具に関する。
【背景技術】
【０００２】
従来、商品の売場等においては、例えば、単に商品を並べたり、或いは積み上げたりして商品の展示や陳列等が行われていたところ、より効果的に顧客の関心を集める手法が望まれている。
【考案の開示】
【考案が解決しようとする課題】
【０００３】
本考案は、複数の缶を連結するための缶連結具を提案することで、これにより複数の缶からなる展示物や模型等を容易に組み立て可能にし、例えば、販売対象である飲料品の缶を構成要素とした展示物を商品の売場等に展示や陳列等して集客効果を高めることや、模型を個人的に組み立てて遊ぶこと等ができるようにすることを目的とする。
【課題を解決するための手段】
【０００４】
本考案は、複数種類の部品を有する缶連結具であり、この缶連結具により複数の缶を連結可能とするものである。
本考案に係る缶連結具は、基本的な構成として、缶の円筒面に対して軸方向に沿って配置される第１部品と、上側に配置される第１部品の下端と結合するための上側結合部と、下側に配置される第１部品の上端と結合するための下側結合部とを有すると共に、上側に第１部品を挟んで配置される２つの缶における下面周縁の一部に係合する２つの上側係合部と、下側に第１部品を挟んで配置される２つの缶における上面周縁の一部に係合する２つの下側係合部とを有する第２部品と、を備える。
【０００５】
本考案に係る缶連結具では、１つの缶に対し、１つの第１部品及び２つの第２部品が少なくとも設けられる。
すなわち、缶の円筒面に添えて第１部品を配置すると共に、一方の第２部品を缶の上面周縁の一部に係合させつつ第１部品の上端に結合し、他方の第２部品を缶の下面周縁の一部に係合させつつ第１部品の下端に結合する。
このように、１つの缶に添えられた１つの第１部品に、これらを上下から挟み込むようにして２つの第２部品を結合させることで、１つの第１部品及び２つの第２部品の組により缶が固定的或いは回転自在に保持される。
【０００６】
本考案に係る缶連結具によると、以下のように、複数の缶を種々の態様で連結することができる。
第１の連結態様では、１つの第１部品及び２つの第２部品の組を用いることで、２つの缶を横方向（缶の中心軸に直交する方向）に連結する。すなわち、２つの缶に挟まれた第１部品に、これらを上下から挟み込むようにして第２部品を結合することで、２つの缶が横方向に連結される。なお、１つの第１部品及び２つの第２部品の組を更に追加して用いることで、３以上の缶を横方向に連結させることができる。
【０００７】
第２の連結態様では、１つの第１部品及び２つの第２部品の組に加え、更に、１つの第１部品及び１つの第２部品を用いることで、２つの缶を縦方向（缶の中心軸の方向）に連結する。すなわち、１つの第１部品及び２つの第２部品の組により１つの缶を保持すると共に、その上側（又は下側）の第２部品及び他の第２部品を、他の缶及びこれに添えられた他の第１部品を上下から挟み込むようにして当該他の第１部品に結合することで、２つの缶が縦方向に連結される。なお、１つの第１部品及び１つの第２部品の組を更に追加して用いることで、３以上の缶を縦方向に連結させることができる。
また、第１の連結態様と第２の連結態様を組み合わせることもできる。
【０００８】
ここで、上記の第１部品及び第２部品と共に、他の部品を用いることで更なる連結態様を実現することができる。
本考案に係る缶連結具は、例えば、缶の上面側又は下面側に配置される部品であり、当該缶に係合される複数の第２部品の各々と結合するための複数の結合部を部品中心部から等距離の位置に有する第３部品を更に備える。
なお、第３部品は、一構成例として、第２部品と結合するための複数の結合部を、隣接する結合部間が等間隔となる位置に有する。
【０００９】
第３部品を用いた第３の連結態様では、３以上の缶を横方向に特定の角度で連結する。すなわち、例えば３つの缶を連結する場合において、中央の缶の上面側（又は下面側）に第３部品を配置して、中央と右側の缶の連結に用いた上側（又は下側）の第２部品を第３部品にも結合すると共に、中央と左側の缶の連結に用いた上側（又は下側）の第２部品を第３部品にも結合する。このとき、第３部品に設けられた複数の結合部のうち、いずれの結合部を用いて２つの第２部品とそれぞれ結合するかに応じて、横方向における缶の連結角度が決定される。つまり、第３部品の結合部の組み合わせに応じた角度で缶が横方向に連結される。
また、１つの第３部品に対して３以上の第２部品を結合することで、第３部品が配置された１つの缶を中心として、３以上の缶を放射状に横方向に連結させることもできる。
【００１０】
また、本考案に係る缶連結具は、例えば、複数の第２部品の各々と結合するための複数の結合部を、それぞれの第２部品に係合される缶における軸の方向がそれぞれ異なる方向となる角度で有する第４部品を更に備える。
なお、第４部品は、一構成例として、多角形の面を有する部品であり、第２部品と結合するための複数の結合部を、前記多角形の辺部分に有する。
【００１１】
第４部品を用いた第４の連結態様では、２つの缶を斜め方向に（それぞれの缶を中心軸の角度を変えて）連結する。すなわち、一方の缶に対する第２部品を第４部品のいずれかの結合部に結合し、他方の缶に対する第２部品を第４部品の残りのいずれかの結合部に結合する。このとき、第３部品に設けられた複数の結合部のうち、いずれの結合部を用いて２つの第２部品とそれぞれ結合するかに応じて、斜め方向における缶の連結角度が決定される。つまり、第４部品の結合部の組み合わせに応じた角度で缶が斜め方向に連結される。
また、１つの第４部品に対して３以上の第２部品を連結することで、第４部品を中心として、３以上の缶を放射状に斜め方向に連結させることもできる。
【考案の効果】
【００１２】
本考案に係る缶連結具を用いることにより、複数の缶からなる展示物や模型等を容易に組み立てることが可能になり、例えば、販売対象である飲料品の缶を構成要素とした展示物を商品の売場等に展示や陳列等して集客効果を高めることや、模型を個人的に組み立てて遊ぶこと等ができるようになる。
【考案を実施するための最良の形態】
【００１３】
本考案の一実施形態を図面を参照して説明する。
なお、以下の説明において、パーツＡは本考案に係る第２部品であり、パーツＢは本考案に係る第１部品であり、パーツＣは本考案に係る第３部品であり、パーツＤは本考案に係る第４部品である。
また、連結対象の缶として１６０ｍｌの飲料用缶を用いるが、これに限定するものではなく、連結する缶のサイズ及び形状に適した缶連結具を用意すればよい。
【実施例１】
【００１４】
本考案に係る第１実施例を説明する。
図１には、本例に係るパーツＡを示してある。同図において、（１）は上面図であり、（２）は正面図であり、（３）は側面図であり、（４）はａ−ａ断面図である。
本例のパーツＡには、ベースとなる板状の基盤１１の上面に、パーツＡの上側に並列して配置される２つの飲料用缶の下面周縁の形状に対応して円弧状に突出して形成された２つの係合部１２を設けると共に、２つの係合部１２の中間部分に、これら飲料用缶の連結方向（横方向）の軸を挟んで第１の突起部１３を２つ設けてある。また、基盤１１の下面に、パーツＡの下側に並列して配置される２つの飲料用缶の上面周縁の形状に対応して円弧状に突出して形成された２つの係合部１４を設けると共に、２つの係合部１４の中間部分に、これら飲料用缶の連結方向の軸を挟んで第２の突起部１５を２つ設けてあり、更に、それぞれの係合部１４より飲料用缶の中心方向で且つ飲料用缶の連結方向の軸上の位置に、第３の突起部１６を設けてある。なお、飲料用缶の上面とは飲み口がある面であり、その反対面が下面となる。
【００１５】
図２には、本例に係るパーツＢを示してある。同図において、（１）は上面図であり、（２）はｂ−ｂ断面図であり、（３）はｃ−ｃ断面図であり、（４）はｄ−ｄ断面図である。
本例のパーツＢは、飲料用缶の軸方向（高さ方向）の長さと同程度の長さに形成された柱状具２１であり、並列する２つの飲料用缶により挟み込むように配置される。本例のパーツＢは、それぞれの飲料用缶の円筒面に対向して接する缶対向部２２を、飲料用缶の円筒面の形状に応じて緩やかな凹状に形成してあり、飲料用缶の円筒面にパーツＢを具合良く当てることができる。また、パーツＢには、飲料用缶の軸方向に沿った２つの側溝２３が缶対向部２２の両脇に設けられている。これらの側溝２３は、パーツＡの第１の突起部１３及び第２の突起部１５に対応した形状となっており、側溝２３の上端部分が、パーツＡの下面にある第２の突起部１５が挿入される第１の挿入部２４となり、側溝２３の下端部分が、パーツＡの上面にある第１の突起部１３が挿入される第２の挿入部２５となる。
【００１６】
図３には、本例に係るパーツＣを示してある。同図において、（１）は上面図であり、（２）は正面図であり、（３）はｆ−ｆ断面図であり、（４）はｅ−ｅ断面図である。
本例のパーツＣには、ベースとなる円形で板状の基盤３１を貫通して、パーツＡの下面にある第３の突起部１６に対応した形状である６つの挿入部３２を設けてあり、これら挿入部３２にパーツＡの第３の突起部１６が挿入される。各挿入部３２は、基盤３１の中心部から等距離の位置（飲料用缶の断面をなす円に対する同心円上）に設けてある。本例では、各挿入部３２は６０度の角度を置いて等間隔に形成されている。
【００１７】
図４には、本例に係るパーツＤを示してある。同図において、（１）は上面図であり、（２）はｇ−ｇ断面図であり、（３）は側面図である。
本例のパーツＤは、６角形状をなす２枚の板状部材４１で３つの支持部４２を挟み込んで構成されている。各支持部４２は、板状部材４１における６角形の辺部分に１つ置きで配置してあり、それぞれの板状部材４１と支持部４２とによって、６角形の他の辺部分に３つの空間が形成されている。これら３つの空間は、パーツＡの上面にある第１の突起部１３又は下面にある第２の突起部１５が挿入される挿入部４３となる。本例では、各挿入部４３は１２０度の角度を置いて等間隔に形成されている。
【００１８】
図５〜図８には、図１〜図４を参照して説明したパーツＡ〜Ｄの各々と基本的形状が共通するパーツを、それぞれ異なる２つの視点から見た斜視図を示してある。すなわち、図５〜図８に示すパーツＡ〜Ｄは、例えば、パーツＣの中央部が円錐状に突出している点や、パーツＤが一体成形されている点などを除き、図１〜図４に示すパーツＡ〜Ｄと共通する形状となっている。
【００１９】
これらのパーツＡ〜Ｄを用いた飲料用缶の連結を、図９〜図１２を参照して説明する。
図９（１）には、２つの飲料用缶を横連結する前の状態を示してあり、同図（２）には、２つの飲料用缶を横連結した後の状態を示してある。
すなわち、一方（上側）のパーツＡの下面にある第２の突起部１５を、パーツＢの上端にある第１の挿入部２４に挿入してこれらのパーツ同士を結合すると共に、このパーツＡの下面にある２つの係合部１４を、パーツＢを挟んで配置された２つの飲料用缶における上面周縁の一部にそれぞれ係合させる。同様に、他方（下側）のパーツＡの上面にある第１の突起部１３をパーツＢの下端にある第２の挿入部２５に挿入してこれらのパーツ同士を結合すると共に、このパーツＡの上面にある２つの係合部１２を、パーツＢを挟んで配置された２つの飲料用缶における下面周縁の一部にそれぞれ係合させる。これにより、飲料用缶が２列に横連結（横方向に連結）される。
【００２０】
図１０には、飲料用缶を縦連結（縦方向に連結）する態様を例示してある。
同図では、２列に横連結された飲料用缶を２段に縦連結している。すなわち、１つのパーツＡの上下それぞれに２つの飲料用缶をパーツＡを挟んで配置し、これらを上下から２つのパーツＡにより挟み込むことで、２列に横連結された飲料用缶が２段に縦連結される。
【００２１】
図１１には、飲料用缶を横連結（横方向に連結）する態様を例示してある。
同図（１）では、飲料用缶を３列に横連結している。
すなわち、中央に位置する飲料用缶の上面にパーツＣを配置しておき、中央の飲料用缶とその左側に配置された飲料用缶に挟まれたパーツＢに、これら（パーツＣを含む）を上下から挟み込むようにして２つのパーツＡを結合すると共に、中央の飲料用缶とその右側に配置された飲料用缶に挟まれたパーツＢに、これら（パーツＣを含む）を上下から挟み込むようにして２つのパーツＡを結合することで、飲料用缶が３列に横連結される。なお、パーツＡとパーツＣの結合は、パーツＡの下面にある第３の突起部１６をパーツＣの挿入部３２に挿入することで行われる。
本例では、パーツＣに設けられた各挿入部３２のうち、対角に位置する２つの挿入部３２をパーツＡとの結合（飲料用缶との連結）に用いることで、飲料用缶を一方向に横連結している。なお、パーツＡとの結合に用いる挿入部３２の組み合わせにより、飲料用缶を横連結する角度を変化させることができる。
また、パーツＣを用いた横連結の繰り返しにより、多数の飲料用缶を連鎖的に連結させることができる。
【００２２】
同図（２）では、１つの飲料用缶を中心にして、３つの飲料用缶を放射状に横連結している。
すなわち、中心とする飲料用缶の上面にパーツＣを配置しておき、このパーツＣに設けられた６つの挿入部３２のうちの３つに対し、それぞれにパーツＡを結合して３つの飲料用缶を連結することで、パーツＣが配置された飲料用缶を中心にして、３つの飲料用缶が放射状に横連結される。
本例では、パーツＣに設けられた６つの挿入部３２を１つ置きに用いてパーツＡを結合して３つの飲料用缶を連結することで、１つの飲料用缶を中心にして３つの飲料用缶を１２０度の角度で放射状に連結している。なお、残りの挿入部３２を用いて他の飲料用缶を更に連結してもよい。
【００２３】
同図（３）では、６つの飲料用缶を円環状に横連結している。
すなわち、６つの飲料用缶のそれぞれにパーツＣを配置し、パーツＣのそれぞれに２つのパーツＡを１２０度の角度を置いて結合することで、６つの飲料用缶が円環状に横連結される。
【００２４】
図１２には、飲料用缶を斜め連結（斜め方向に連結）する態様を例示してある。
すなわち、斜め連結する一方の飲料用缶（本例では２列に横連結された飲料用缶）に係合されたパーツＡの第１の突起部１３又は第２の突起部１５（パーツＢとの結合に用いられていないもの）を、パーツＤに設けられた複数の挿入部４３のいずれかに挿入し、斜め連結する他方の飲料用缶（本例では２列に横連結された飲料用缶）に係合されたパーツＡの第１の突起部１３又は第２の突起部１５（パーツＢとの結合に用いられていないもの）を残りの挿入部４３のいずれかに挿入することで、飲料用缶が斜め連結される。
本例では、６角形をなすパーツＤの辺部分に１つ置きに形成された挿入部４３を用いて各パーツＡを結合することで、飲料用缶を１２０度の角度で斜め連結できる。
なお、残りの挿入部４３を用いて他の飲料用缶を更に連結してもよく、これにより、パーツＤを中心にして、飲料用缶を放射状に連結させることができる。
【実施例２】
【００２５】
本考案に係る第２実施例を説明する。
図１３には、本例に係るパーツＡを例示してある。同図において、（１）は上面図であり、（２）は正面図であり、（３）は側面図であり、（４）はａ−ａ断面図である。
本例のパーツＡには、ベースとなる板状の基盤５１の上面に、パーツＡの上側に並列して配置される２つの飲料用缶の下面周縁の形状に対応して円弧状に突出して形成された２つの係合部５２を設けると共に、２つの係合部５２の中間部分に、これら飲料用缶の連結方向（横方向）の軸に直交する縦長の第１の突起部５３を設けてある。また、基盤５１の下面に、パーツＡの下側に並列して配置される２つの飲料用缶の上面周縁の形状に対応して円弧状に突出して形成された２つの係合部５４を設けると共に、２つの係合部５４の中間部分に、これら飲料用缶の連結方向の軸に直交する縦長の第２の突起部５５を設けてある。また、それぞれの係合部５４より飲料用缶の中心方向で且つ飲料用缶の連結方向の軸上の位置に、基盤５１を貫通して２つの挿入部５６を設けてある。なお、飲料用缶の上面とは飲み口がある面であり、その反対面が下面となる。
【００２６】
図１４には、本例に係るパーツＢを例示してある。同図において、（１）は上面図であり、（２）はｂ−ｂ断面図であり、（３）はｃ−ｃ断面図である。
本例のパーツＢは、飲料用缶の軸方向（高さ方向）の長さと同程度の長さに形成された柱状具６１であり、並列する２つの飲料用缶により挟み込むように配置される。本例のパーツＢは、それぞれの飲料用缶の円筒面に対向して接する缶対向部６２を、飲料用缶の円筒面の形状に応じて緩やかな凹状に形成してあり、飲料用缶の円筒面にパーツＢを具合良く当てることができる。また、パーツＢには、飲料用缶の軸方向に沿った空洞６３が断面中央部に上下を貫通して設けられている。この空洞６３は、パーツＡの第１の突起部５３及び第２の突起部５５に対応した形状となっており、空洞６３の上端部分が、パーツＡの下面にある第２の突起部５５が挿入される第１の挿入部６４となり、空洞６３の下端部分が、パーツＡの上面にある第１の突起部５３が挿入される第２の挿入部６５となる。
【００２７】
図１５には、本例に係るパーツＣを例示してある。同図において、（１）は上面図であり、（２）は正面図であり、（３）はｄ−ｄ断面図であり、（４）は側面図である。
本例のパーツＣには、ベースとなる円形で板状の基盤７１の上面に、パーツＡの挿入部５６の形状に対応した形状である８つの突起部７２が設けてあり、これら突起部７２がパーツＡの挿入部５６に挿入される。各挿入部７２は、基盤７１の中心部から等距離の位置（飲料用缶の断面をなす円に対する同心円上）に設けてある。本例では、各挿入部７２は４５度の角度を置いて等間隔に形成されている。
【００２８】
図１６には、本例に係るパーツＤを例示してある。同図において、（１）は上面図であり、（２）はｅ−ｅ断面図であり、（３）は側面図である。
本例のパーツＤは、８角形状をなす２枚の板状部材８１で８つの支持部８２を挟み込んで構成されている。各支持部８２は、板状部材８１における８角形の頂点部分にそれぞれ配置してあり、それぞれの板状部材８１と支持部８２とによって、８角形のそれぞれの辺部分に８つの空間が形成されている。これら８つの空間は、パーツＡの上面にある第１の突起部５３又は下面にある第２の突起部５５が挿入される挿入部８３となる。本例では、各挿入部８３は４５度の角度を置いて等間隔に形成されている。
【００２９】
図１７〜図２０には、図１３〜図１６を参照して説明したパーツＡ〜Ｄの各々と基本的形状が共通するパーツを、それぞれ異なる２つの視点から見た斜視図を示してある。すなわち、図１７〜図２０に示すパーツＡ〜Ｄは、例えば、パーツＤが一体成形されている点などを除き、図１３〜図１６に示すパーツＡ〜Ｄと共通する形状となっている。
【００３０】
これらのパーツＡ〜Ｄを用いた飲料用缶の連結を、図２１〜図２４を参照して説明する。
図２１（１）には、２つの飲料用缶を横連結する前の状態を示してあり、同図（２）には、２つの飲料用缶を横連結した後の状態を示してある。
すなわち、一方（上側）のパーツＡの下面にある第２の突起部５５を、パーツＢの上端にある第１の挿入部６４に挿入してこれらのパーツ同士を結合すると共に、このパーツＡの下面にある２つの係合部５４を、パーツＢを挟んで配置された２つの飲料用缶における上面周縁の一部にそれぞれ係合させる。同様に、他方（下側）のパーツＡの上面にある第１の突起部５３をパーツＢの下端にある第２の挿入部６５に挿入してこれらのパーツ同士を結合すると共に、このパーツＡの上面にある２つの係合部５２を、パーツＢを挟んで配置された２つの飲料用缶における下面周縁の一部にそれぞれ係合させる。これにより、飲料用缶が２列に横連結（横方向に連結）される。
【００３１】
図２２には、飲料用缶を縦連結（縦方向に連結）する態様を例示してある。
同図では、２列に横連結された飲料用缶を２段に縦連結している。すなわち、１つのパーツＡの上下それぞれに２つの飲料用缶をパーツＡを挟んで配置し、これらを上下から２つのパーツＡにより挟み込むことで、２列に横連結された飲料用缶が２段に縦連結される。
【００３２】
図２３には、飲料用缶を横連結（横方向に連結）する態様を例示してある。
同図（１）では、１つの飲料用缶を中心にして、４つの飲料用缶を放射状に横連結している。
すなわち、中心とする飲料用缶の上面にパーツＣを配置しておき、このパーツＣに設けられた８つの突起部７２のうちの４つに対し、それぞれにパーツＡを結合して４つの飲料用缶を連結することで、パーツＣが配置された飲料用缶を中心にして、４つの飲料用缶が放射状に横連結される。なお、パーツＡとパーツＣの結合は、パーツＣの上面にある突起部７２をパーツＡの挿入部５６に挿入することで行われる。
本例では、パーツＣに設けられた８つの突起部７２を１つ置きに用いてパーツＡを結合して４つの飲料用缶を連結することで、１つの飲料用缶を中心にして４つの飲料用缶を９０度の角度で放射状に連結している。なお、残りの突起部７２を用いて他の飲料用缶を更に連結してもよい。
【００３３】
同図（２）では、８つの飲料用缶を円環状に横連結している。
すなわち、８つの飲料用缶のそれぞれにパーツＣを配置し、パーツＣのそれぞれに２つのパーツＡを１３５度の角度を置いて結合することで、８つの飲料用缶が円環状に横連結される。
【００３４】
また、例えば、パーツＣに設けられた各突起部７２のうち、対角に位置する２つの突起部７２をパーツＡとの結合（飲料用缶との連結）に用いることで、飲料用缶を一方向に横連結することができ、パーツＡとの結合に用いる突起部７２の組み合わせにより、飲料用缶を横連結する角度を変化させることもできる。
また、パーツＣを用いた横連結の繰り返しにより、多数の飲料用缶を連鎖的に連結させることができる。
【００３５】
図２４には、飲料用缶を斜め連結（斜め方向に連結）する態様を例示してある。
すなわち、同図（１）に示すように、斜め連結する一方の飲料用缶（本例では２列に横連結された飲料用缶）に係合されたパーツＡの第１の突起部５３又は第２の突起部５５（パーツＢとの結合に用いられていないもの）を、パーツＤに設けられた複数の挿入部８３のいずれかに挿入し、斜め連結する他方の飲料用缶（本例では２列に横連結された飲料用缶）に係合されたパーツＡの第１の突起部５３又は第２の突起部５５（パーツＢとの結合に用いられていないもの）を残りの挿入部８３のいずれかに挿入することで、飲料用缶が斜め連結される。
本例では、８角形をなすパーツＤの辺部分にそれぞれ形成された挿入部８３を用いて各パーツＡを結合することで、飲料用缶を４５度単位の角度で斜め（或いは直角に）連結できる。
なお、同図（２）に示すように、残りの挿入部８３を用いて他の飲料用缶を更に連結してもよく、これにより、パーツＤを中心にして、飲料用缶を放射状に連結させることができる。
【００３６】
上記の第１実施例及び第２実施例において示したような、本考案に係る缶連結具を用いて複数の飲料用缶を連結することで、種々の態様の展示物や模型を作成することができる。すなわち、例えば、図２５（１）に示すようなロケットを模した展示物や、同図（２）に示すような恐竜を模した展示物を作成することができる。そして、このような展示物を飲料品の売場に展示や陳列等することで、効果的に顧客の関心を集めることができ、飲料品の販売の促進が図られる。勿論、個人的に楽しむことを目的として作成してもよい。
なお、同図では、紙等を材料とした他の部品（例えば、恐竜の目）を付加して展示物を作成してある。
【００３７】
なお、上記に示した各パーツの形状は一例に過ぎず、本考案に係る缶連結具では種々の形状を採用することができ、例えば、対応関係にある突起部と挿入部をそれぞれ入れ替えた形状としてもよい。
また、本例のパーツは、種々の材料を用いて製造することができ、例えば、プラスチックを材料として製造することができる。
【図面の簡単な説明】
【００３８】
【図１】本考案の第１実施例に係るパーツＡの形状を説明する図である。
【図２】本考案の第１実施例に係るパーツＢの形状を説明する図である。
【図３】本考案の第１実施例に係るパーツＣの形状を説明する図である。
【図４】本考案の第１実施例に係るパーツＤの形状を説明する図である。
【図５】本考案の第１実施例に係るパーツＡの形状を説明する図である。
【図６】本考案の第１実施例に係るパーツＢの形状を説明する図である。
【図７】本考案の第１実施例に係るパーツＣの形状を説明する図である。
【図８】本考案の第１実施例に係るパーツＤの形状を説明する図である。
【図９】本考案の第１実施例に係るパーツＡとパーツＢの結合を説明する図である。
【図１０】本考案の第１実施例に係る飲料用缶の縦連結の態様を例示する図である。
【図１１】本考案の第１実施例に係る飲料用缶の横連結の態様を例示する図である。
【図１２】本考案の第１実施例に係る飲料用缶の斜め連結の態様を例示する図である。
【図１３】本考案の第２実施例に係るパーツＡの形状を説明する図である。
【図１４】本考案の第２実施例に係るパーツＢの形状を説明する図である。
【図１５】本考案の第２実施例に係るパーツＣの形状を説明する図である。
【図１６】本考案の第２実施例に係るパーツＤの形状を説明する図である。
【図１７】本考案の第２実施例に係るパーツＡの形状を説明する図である。
【図１８】本考案の第２実施例に係るパーツＢの形状を説明する図である。
【図１９】本考案の第２実施例に係るパーツＣの形状を説明する図である。
【図２０】本考案の第２実施例に係るパーツＤの形状を説明する図である。
【図２１】本考案の第２実施例に係るパーツＡとパーツＢの結合を説明する図である。
【図２２】本考案の第２実施例に係る飲料用缶の縦連結の態様を例示する図である。
【図２３】本考案の第２実施例に係る飲料用缶の横連結の態様を例示する図である。
【図２４】本考案の第２実施例に係る飲料用缶の斜め連結の態様を例示する図である。
【図２５】本考案に係る缶連結具及び飲料用缶を用いて作成された展示物を例示する図である。
【符号の説明】
【００３９】
１１：基盤、  １２：係合部（上側）、  １３：突起部（第１）、  １４：係合部（下側）、  １５：突起部（第２）、  １６：突起部（第３）、  ２１：柱状具、  ２２：缶対向部、  ２３：側溝、  ２４：挿入部（第１）、  ２５：挿入部（第２）、  ３１：基盤、  ３２：挿入部、  ４１：板状部材、  ４２：支持部、  ４３：挿入部、
５１：基盤、  ５２：係合部（上側）、  ５３：突起部（第１）、  ５４：係合部（下側）、  ５５：突起部（第２）、  ５６：挿入部、  ６１：柱状具、  ６２：缶対向部、  ６３：空洞、  ６４：挿入部（第１）、  ６５：挿入部（第２）、  ７１：基盤、  ７２：突起部、  ８１：板状部材、  ８２：支持部、  ８３：挿入部
【図１】
0003149035.tif 000003
【図２】
0003149035.tif 000004
【図３】
0003149035.tif 000005
【図４】
0003149035.tif 000006
【図５】
0003149035.tif 000007
【図６】
0003149035.tif 000008
【図７】
0003149035.tif 000009
【図８】
0003149035.tif 000010
【図９】
0003149035.tif 000011
【図１０】
0003149035.tif 000012
【図１１】
0003149035.tif 000013
【図１２】
0003149035.tif 000014
【図１３】
0003149035.tif 000015
【図１４】
0003149035.tif 000016
【図１５】
0003149035.tif 000017
【図１６】
0003149035.tif 000018
【図１７】
0003149035.tif 000019
【図１８】
0003149035.tif 000020
【図１９】
0003149035.tif 000021
【図２０】
0003149035.tif 000022
【図２１】
0003149035.tif 000023
【図２２】
0003149035.tif 000024
【図２３】
0003149035.tif 000025
【図２４】
0003149035.tif 000026
【図２５】
0003149035.tif 000027
【手続補正書】
【提出日】平成21年1月8日(2009.1.8)
【手続補正１】
【補正対象書類名】実用新案登録請求の範囲
【補正対象項目名】全文
【補正方法】変更
【補正の内容】
【実用新案登録請求の範囲】
【請求項１】
缶の円筒面に対して軸方向に沿って配置される第１部品と、
上側に配置される第１部品の下端と結合するための上側結合部と、下側に配置される第１部品の上端と結合するための下側結合部とを有すると共に、上側に第１部品を挟んで配置される２つの缶における下面周縁の一部に係合する２つの上側係合部と、下側に第１部品を挟んで配置される２つの缶における上面周縁の一部に係合する２つの下側係合部とを有する第２部品と、を備えた、
ことを特徴とする缶連結具。
【請求項２】
請求項１に記載の缶連結具において、
缶の上面側又は下面側に配置される部品であり、当該缶に係合される複数の第２部品の各々と結合するための複数の結合部を部品中心部から等距離の位置に有する第３部品を備えた、
ことを特徴とする缶連結具。
【請求項３】
請求項２に記載の缶連結具において、
前記第３部品は、前記第２部品と結合するための複数の結合部を、隣接する結合部間が等間隔となる位置に有する、
ことを特徴とする缶連結具。
【請求項４】
請求項１乃至請求項３のいずれか１項に記載の缶連結具において、
前記第２部品における前記第１部品との結合に用いられていない上側結合部又は下側結合部と結合するための複数の結合部を、各結合部に結合されるそれぞれの第２部品に係合される缶における軸の方向がそれぞれ異なる方向となる角度で有する第４部品を備えた、
ことを特徴とする缶連結具。
【請求項５】
請求項４に記載の缶連結具において、
前記第４部品は、多角形の面を有する部品であり、前記第２部品と結合するための複数の結合部を、前記多角形の辺部分に有する、
ことを特徴とする缶連結具。
【請求項６】
缶の円筒面に対して軸方向に沿って配置される第１部品と、
上側に配置される第１部品の下端と結合するための上側結合部と、下側に配置される第１部品の上端と結合するための下側結合部とを有すると共に、上側に第１部品を挟んで配置される２つの缶における下面周縁の一部に係合する２つの上側係合部と、下側に第１部品を挟んで配置される２つの缶における上面周縁の一部に係合する２つの下側係合部とを有する第２部品と、
を備えたことを特徴とする缶連結具における前記第１部品。
【請求項７】
缶の円筒面に対して軸方向に沿って配置される第１部品と、
上側に配置される第１部品の下端と結合するための上側結合部と、下側に配置される第１部品の上端と結合するための下側結合部とを有すると共に、上側に第１部品を挟んで配置される２つの缶における下面周縁の一部に係合する２つの上側係合部と、下側に第１部品を挟んで配置される２つの缶における上面周縁の一部に係合する２つの下側係合部とを有する第２部品と、
を備えたことを特徴とする缶連結具における前記第２部品。
【請求項８】
缶の円筒面に対して軸方向に沿って配置される第１部品と、
上側に配置される第１部品の下端と結合するための上側結合部と、下側に配置される第１部品の上端と結合するための下側結合部とを有すると共に、上側に第１部品を挟んで配置される２つの缶における下面周縁の一部に係合する２つの上側係合部と、下側に第１部品を挟んで配置される２つの缶における上面周縁の一部に係合する２つの下側係合部とを有する第２部品と、
缶の上面側又は下面側に配置される部品であり、当該缶に係合される複数の第２部品の各々と結合するための複数の結合部を部品中心部から等距離の位置に有する第３部品と、
を備えたことを特徴とする缶連結具における前記第３部品。
【請求項９】
缶の円筒面に対して軸方向に沿って配置される第１部品と、
上側に配置される第１部品の下端と結合するための上側結合部と、下側に配置される第１部品の上端と結合するための下側結合部とを有すると共に、上側に第１部品を挟んで配置される２つの缶における下面周縁の一部に係合する２つの上側係合部と、下側に第１部品を挟んで配置される２つの缶における上面周縁の一部に係合する２つの下側係合部とを有する第２部品と、
前記第２部品における前記第１部品との結合に用いられていない上側結合部又は下側結合部と結合するための複数の結合部を、各結合部に結合されるそれぞれの第２部品に係合される缶における軸の方向がそれぞれ異なる方向となる角度で有する第４部品と、
を備えたことを特徴とする缶連結具における前記第４部品。
【請求項１０】
請求項１乃至請求項５のいずれか１項に記載の缶連結具において、
前記缶は、円筒状の飲料用缶である、
ことを特徴とする缶連結具。